【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
患者支持体と、
超伝導シンクロサイクロトロンが取り付けられ、該超伝導シンクロサイクロトロンを前記患者支持体上の患者の周囲の或る範囲の位置にわたって移動可能にするガントリーとを備えた装置であって、
前記超伝導シンクロサイクロトロンが、前記範囲内の位置から患者の任意のターゲットに到達するのに充分なエネルギーレベルを有する陽子またはイオンビームを発生させるように構成されていて、
前記陽子またはイオンビームが前記超伝導シンクロサイクロトロンのハウジングから前記患者へと直接的に通過する、装置。
【請求項２】
前記ガントリーが水平方向の回転軸の周りで回転するように支持されている請求項１に記載の装置。
【請求項３】
前記ガントリーが前記水平方向の回転軸の周りのベアリング上で回転するように支持されている請求項２に記載の装置。
【請求項４】
前記ガントリーが、該ガントリーの回転軸から延伸する二つのアームと、前記超伝導シンクロサイクロトロンが取り付けられ前記二つのアームの間にあるトラスとを備える請求項１に記載の装置。
【請求項５】
前記ガントリーが３６０度未満の範囲の位置内でしか回転しないように制限されている請求項１に記載の装置。
【請求項６】
前記範囲が少なくとも１８０度である請求項５に記載の装置。
【請求項７】
前記範囲が１８０度から３３０度までである請求項５に記載の装置。
【請求項８】
複数の放射線防護壁を更に含み、該放射線防護壁の少なくとも一つが、前記範囲内のあらゆる位置において前記超伝導シンクロサイクロトロンからの前記陽子またはイオンビームのライン上にはなく、他の放射線防護壁よりも少ない質量で同じ放射線防護を提供するように構成されている請求項５に記載の装置。
【請求項９】
前記患者支持体が、前記ガントリーの回転が制限される範囲の位置によって画定される空間を介してアクセス可能である患者支持体領域上に取り付けられている請求項５に記載の装置。
【請求項１０】
前記患者支持体が前記ガントリーに対して相対的に移動可能である請求項１に記載の装置。
【請求項１１】
前記患者支持体が患者の回転軸周りに回転するように構成されている請求項１０に記載の装置。
【請求項１２】
前記患者の回転軸が鉛直である請求項１１に記載の装置。
【請求項１３】
前記患者の回転軸が前記患者支持体上の患者のアイソセンターを含む請求項１１に記載の装置。
【請求項１４】
前記ガントリーが、ガントリーの回転軸周りに前記超伝導シンクロサイクロトロンを回転させるように構成されている請求項１に記載の装置。
【請求項１５】
前記ガントリーの回転軸が水平である請求項１４に記載の装置。
【請求項１６】
前記ガントリーの回転軸が前記患者支持体上の患者のアイソセンターを含む請求項１４に記載の装置。
【請求項１７】
前記超伝導シンクロサイクロトロンの重量が４０トン未満である請求項１に記載の装置。
【請求項１８】
前記超伝導シンクロサイクロトロンの重量が５から３０トンの範囲内である請求項１７に記載の装置。
【請求項１９】
前記超伝導シンクロサイクロトロンの占める容積が４．５立方メートル以下である請求項１に記載の装置。
【請求項２０】
前記容積が０．７から４．５立方メートルの範囲内である請求項１９に記載の装置。
【請求項２１】
前記超伝導シンクロサイクロトロンが、少なくとも１５０ＭｅＶのエネルギーレベルを有する陽子またはイオンビームを発生させる請求項１に記載の装置。
【請求項２２】
前記エネルギーレベルが１５０から３００ＭｅＶの範囲内である請求項２１に記載の装置。
【請求項２３】
前記超伝導シンクロサイクロトロンがシンクロサイクロトロンを含む請求項１に記載の装置。
【請求項２４】
前記超伝導シンクロサイクロトロンが少なくとも６テスラの磁場強度を有する磁石構造体を含む請求項１に記載の装置。
【請求項２５】
前記磁場強度が６から２０テスラの範囲内である請求項２４に記載の装置。
【請求項２６】
前記磁石構造体が超電導巻線を有する請求項２４に記載の装置。
【請求項２７】
前記陽子またはイオンビームが、前記超伝導シンクロサイクロトロンから患者の位置の一般領域へと直接的に通過する請求項１に記載の装置。
【請求項２８】
前記患者支持体、前記ガントリー及び前記超伝導シンクロサイクロトロンを収容する遮蔽チャンバを更に含み、前記遮蔽チャンバの壁の少なくとも一つが、該遮蔽チャンバの他の壁よりも薄い請求項１に記載の装置。
【請求項２９】
前記遮蔽チャンバの少なくとも一部は地中に埋められている請求項２８に記載の装置。
【請求項３０】
患者支持体と、
超伝導シンクロサイクロトロンが取り付けられたガントリーであって、（ａ）患者のアイソセンターを含む水平なガントリーの軸周りに（ｂ）３６０度未満の範囲の位置にわたって回転するように支持されているガントリーとを備えた装置であって、
前記患者支持体が、前記アイソセンターを含む鉛直な患者支持体の軸周りに回転可能であり、
前記超伝導シンクロサイクロトロンが、前記範囲内の位置から直接的に患者の任意のターゲットに到達する少なくとも１５０ＭｅＶのエネルギーレベルを有する陽子またはイオンビームを発生させるように構成されたシンクロサイクロトロンを含み、該シンクロサイクロトロンが超伝導巻線を有する、装置。
【請求項３１】
患者支持体上の患者の周囲のあらゆる範囲の位置にわたって超伝導シンクロサイクロトロンを移動可能にするガントリー上に固定され、粒子ビームを発生させるように構成された超伝導シンクロサイクロトロンを備えた装置であって、
前記超伝導シンクロサイクロトロンが、前記範囲内の位置から前記患者の任意のターゲットに到達するのに充分なエネルギーレベルを有する粒子ビームを生じさせるように構成されている、装置。
【請求項３２】
超伝導シンクロサイクロトロンを保持し、また、該超伝導シンクロサイクロトロンを患者支持体上の患者の周囲の或る範囲の位置にわたって移動可能にするように構成されたガントリーを備えた装置であって、
前記超伝導シンクロサイクロトロンが、前記範囲内の位置から前記患者の任意のターゲットに到達するのに充分なエネルギーレベルを有する陽子またはイオンビームを生じさせるように構成されている、装置。
【請求項３３】
患者支持体と、
超伝導シンクロサイクロトロンが取り付けられ、該超伝導シンクロサイクロトロンを前記患者支持体上の患者の周囲の或る範囲の位置にわたって移動可能にするガントリーと、
前記患者支持体、前記ガントリー及び前記超伝導シンクロサイクロトロンを収容する壁で囲まれたエンクロージャーとを備えた構造体であって、
前記超伝導シンクロサイクロトロンが、前記範囲内の位置から前記患者の任意のターゲットに到達するのに充分なエネルギーレベルを有する陽子またはイオンビームを発生させるように構成されている、構造体。
【請求項３４】
患者の任意のターゲットに到達するのに充分なエネルギーレベルを有する陽子またはイオンビームを発生させるように構成された超伝導シンクロサイクロトロンを備えた装置であって、
該超伝導シンクロサイクロトロンが、前記陽子またはイオンビームを前記超伝導シンクロサイクロトロンから前記患者に向けて直接的に通過させる向きで回転可能であると共に、前記患者の周囲で前記超伝導シンクロサイクロトロンを移動可能にするガントリー上に取り付けられるのに充分小型かつ軽量である、装置。
【請求項３５】
ガントリーと、
少なくとも６テスラの磁場強度を生じさせ、少なくとも１５０ＭｅＶのエネルギーレベルを有する粒子のビームを発生させ、４．５立方メートル以下の容積を有し、３０トン未満の重量を有する超伝導電磁構造体を有する医療用シンクロサイクロトロンであって、該医療用シンクロサイクロトロンを患者支持体の周囲で移動可能となるように前記ガントリーに結合された医療用シンクロサイクロトロンと、を備えた装置。
【請求項３６】
前記超伝導シンクロサイクロトロンの磁場が６から２０テスラの範囲内である請求項３５に記載の装置。
【請求項３７】
前記壁で囲まれたエンクロージャーの表面の半分以上が地中に埋められている請求項３３に記載の構造体。